(57)【特許請求の範囲】
【請求項１】
洗濯機を載置する平面矩形状の載置板の周縁に上方に向かって一定高さの周壁を突設していると共に上記載置板の適所に該載置板の上下面間に貫通した排水口を備えてなる防水パン本体と、この防水パン本体における上記周壁で囲まれた載置板の四隅部上に突設していると共にその上面を洗濯機の投入口が上方に向いている縦型洗濯機の設置面に形成している固定台板部と、載置板への設置状態における高さが上記周壁よりも高く且つ下端が開口した中空台の形状に形成されていると共にその周壁の内周面下部を上記固定台板部の外周面に取り外し可能に外嵌させるように構成している４個の架台とからなり、この架台の上面を、洗濯物の投入口が斜め上方又は水平方向に向いていてその投入口の高さ位置が上記縦型洗濯機の選択物の投入口の高さ位置よりも低い洗濯機の載置面に形成してあり、この載置面上に上記洗濯機を設置した際に、この洗濯機の洗濯物投入口を上記縦型洗濯機の洗濯物投入口に略同一高さ位置となるように構成していることを特徴とする洗濯機用防水パン。
【請求項２】
架台の平面形状を固定台板部と相似形の四角形状に形成していると共に、この架台の四方周壁面における防水パン本体の周壁の角部側に面した互いに直角な外側壁面部の上端縁に平面Ｌ字状の一定高さの突条部を一体に設けていると共に、この突条部の外側端縁から下方に向かって下端が上記防水パン本体の周壁における角部を中央にして互いに直角に連続した両側壁面部の上端面に接する垂下外壁部を形成していることを特徴とする請求項１に記載の洗濯機用防水パン。
【請求項３】
隣接する架台の対向面間に、下端面が架台間における防水パン本体の周壁部上端面に当接、支持され、上端に両端面が隣接する架台の突条部対向端面に接合する直状突条部を形成していると共に、この直状突条部の内面側の下端から両端面が上記隣接する架台の洗濯機載置面の対向端面に面一状に接合する枠板部を内方に向かって一体に突設してなる幕板を着脱自在に介在させるように構成していることを特徴とする請求項１または請求項２に記載の洗濯機用防水パン。
【発明の詳細な説明】
【技術分野】
【０００１】
本発明は、洗面所や脱衣所等に配設される洗濯機の設置用防水パンに関する。
【背景技術】
【０００２】
従来から、洗濯機用防水パンとしては種々の構造のものが開発されているが、いずれの防水パンにおいても、例えば、特許文献１や特許文献２に記載されているように、上面を洗濯機の載置面に形成している平面矩形状の洗濯機載置板の四方周縁に一定高さの周壁を突設していると共に洗濯機載置板の適所に上面から下方に連通する排水口を設けてなる構造を有している。そして、上記周壁によって洗濯機側からの排水が床面側に漏出するのを防止すると共に、上記排水口を通じて洗濯機のホースから排出される排水を下方の排水トラップ側に流出させるように構成している。
【特許文献１】特開平１１−１４８１５７号公報
【特許文献２】特開２００１−２７１３９７号公報
【発明の開示】
【発明が解決しようとする課題】
【０００３】
しかしながら、洗濯機には、洗濯物の投入口が垂直上方に向いているドラムを備えた洗濯機（以下、縦型洗濯機という）や斜め上方に向いている洗濯機（以下、傾斜型洗濯機という）、或いは、水平方向に向いている洗濯機（以下、横型洗濯機という）などのように投入口の向きが異なった機種があり、従来の上記洗濯機用防水パンは、いずれの機種の洗濯機であっても共用して載置させるように構成している。
【０００４】
そのため、洗濯機用防水パンの洗濯機載置板上に縦型洗濯機を設置した場合には、その投入口が洗濯物の出し入れ等の作業が行いやすい高さに位置することになって安定した楽な姿勢で何等支障が生じることなく作業が行えるが、傾斜型洗濯機や横型洗濯機を該洗濯機用防水パンの洗濯機載置板上に設置した場合には、これらの洗濯機における洗濯物の投入口が縦型洗濯機の投入口に比べて低い位置に設けられた設置状態となり、従って、洗濯物の出し入れ等の作業やその他の操作が腰をかがめて行わなければならないために、作業がやりずらいばかりでなく姿勢が不安定となって健康を損なう虞れがある。
【０００５】
本発明はこのような問題点に鑑みてなされたもので、その目的とするところは、縦型洗濯機や横型洗濯機等のように洗濯物の投入口の高さの異なる洗濯機に応じて洗濯機載置面の高さを簡単且つ正確に変更可能とし、洗濯物を安定した状態で設置して洗濯物の出し入れ等の作業や洗濯機の操作が自然な姿勢で容易に行えるようにした洗濯機用防水パンを提供するにある。
【課題を解決するための手段】
【０００６】
上記目的を達成するために本発明の洗濯機用防水パンは、請求項１に記載したように、洗濯機を載置する平面矩形状の載置板の周縁に上方に向かって一定高さの周壁を突設していると共に上記洗濯機載置板の適所に該載置板の上下面間に貫通した排水口を備えてなる防水パン本体と、この防水パン本体における上記周壁で囲まれた載置板の四隅部上に突設していると共にその上面を洗濯機の投入口が上方に向いている縦型洗濯機の設置面に形成している固定台板部と、載置板への設置状態における高さが上記周壁よりも高く且つ下端が開口した中空台の形状に形成されていると共にその周壁の内周面下部を上記固定台板部の外周面に取り外し可能に外嵌させるように構成している４個の架台とからなり、この架台の上面を、洗濯物の投入口が斜め上方又は水平方向に向いていてその投入口の高さ位置が上記縦型洗濯機の選択物の投入口の高さ位置よりも低い洗濯機の載置面に形成してあり、この載置面上に上記洗濯機を設置した際に、この洗濯機の洗濯物投入口を上記縦型洗濯機の洗濯物投入口に略同一高さ位置となるように構成している。
【０００７】
このように構成した洗濯機用防水パンにおいて、請求項２に係る発明は、上記架台の平面形状を固定台板部と相似形の四角形状に形成していると共に、この架台の四方周壁面における防水パン本体の周壁の角部側に面した互いに直角な外側壁面部の上端縁に平面Ｌ字状の一定高さの突条部を一体に設けていると共に、この突条部の外側端縁から下方に向かって下端が上記防水パン本体の周壁における角部を中央にして互いに直角に連続した両側壁面部の上端面に接する垂下外壁部を形成していることを特徴とする。
【０００８】
また、請求項３に係る発明は、防水パン本体の四隅部上に配設する架台において、隣接する架台の対向面間に、下端面が架台間における防水パン本体の周壁部上端面に当接、支持され、上端に両端面が隣接する架台の突条部対向端面に接合する直状突条部を形成していると共に、この直状突条部の内面側の下端から両端面が上記隣接する架台の洗濯機載置面の対向端面に面一状に接合する枠板部を内方に向かって一体に突設してなる幕板を着脱自在に介在させるように構成している。
【発明の効果】
【０００９】
請求項１に係る発明によれば、洗濯機載置板に周壁と排水口を設けてなる防水パン本体と、この防水パン本体における上記周壁で囲まれた載置板の四隅部上に突設していると共にその上面を縦型洗濯機の設置面に形成している固定台板部と、周壁部の内周面下部を上記固定台板部の外周面に取り外し可能に外嵌させ、且つ、その上面を洗濯物の投入口の高さ位置が上記縦型洗濯機の洗濯物投入口の高さ位置よりも低い洗濯機の載置面に形成している架台とから構成しているので、縦型洗濯機のように、投入口が高い位置にある洗濯機の場合には、架台を使用することなく防水パン本体の洗濯機載置板の四隅部上に突設している上記固定台板部上に直接、該洗濯機を設置することによって、通常の防水パンと同様に、投入口を洗濯物の出し入れ等の作業が容易な高さに位置させることができる一方、投入口が低い位置にある横型洗濯機等の場合には、防水パン本体における洗濯機載置板の四隅部上に架台を配設し、これらの架台の上面によって形成している載置面上に洗濯機の外底面を脚体等を介して架設状態に支持させることによって、この洗濯機における洗濯物の投入口を上記縦型洗濯機と同様に洗濯物の出し入れ等の作業が容易な高さに位置させることができる。
【００１０】
その上、架台の設置高さが防水パン本体の周壁よりも高くなるように形成しているから、洗濯機の設置時には周壁が邪魔になることなく洗濯機を容易に且つ安定した状態で架台上に設置することができると共に、設置した洗濯機の外底面と防水パン本体の洗濯機載置板間にホース接続用のエルボ等を配設するための充分な高さを有する空間を設けることができる。さらにまた、架台自体は周壁で囲まれた防水パン本体の載置面上に配設されているので、この架台上に洗濯機からの溢水等が流下しても、該架台の周壁面を伝って防水パン本体の洗濯機載置板上に確実に受け入れさせることができ、該載置板に設けている排水口を通じてトラップ側に円滑に流出させることができる。
【００１１】
さらに、防水パン本体における洗濯機載置板の四隅部上に洗濯機を載置させる一定厚みの固定台板部を一体に設けて、この固定台板部の外周面に架台の周壁部の内周面下部を取り外し可能に外嵌させるので、架台を防水パン本体における正確な位置に確実且つ簡単に配設することができると共にこれらの架台の上面で形成している洗濯機載置面上に洗濯機を妄動させたりすることなく、所定の位置に安定した状態で設置させることができる。
【００１２】
また、請求項２に係る発明によれば、上記架台の平面形状を固定台板部と相似形の四角形状に形成していると共に、この架台の四方周壁面における防水パン本体の周壁の角部側に面した互いに直角な外側壁面部の上端縁に平面Ｌ字状の一定高さの突条部を形成しているので、洗濯水が洗濯機を伝って架台の洗濯機載置面に流下しても、防水パン本体の周壁面側に該洗濯水が流出するのをこの突条部によって確実に阻止して防水パン本体の洗濯機載置板上に流下させることができる。その上、該突条部の外側端縁から下方に向かって下端が上記防水パン本体の周壁における角部を中央にして互いに直角に連続した両側壁面部の上端面に密接する垂下外壁部を形成しているので、防水パン本体の四方隅角部においては、架台の垂下外壁部と防水パン本体の周壁部とが隙間なく一体に連続した状態となって塵埃等の侵入を防止することができると共に体裁のよい外観を呈する防水パンを提供することができる。
【００１３】
請求項３に係る発明によれば、隣接する架台の対向面間に、下端面が架台間における防水パン本体の周壁部上端面に当接、支持され、上端に両端面が隣接する架台の突条部対向端面に接合する直状突条部を形成していると共に、この直状突条部の内面側の下端から両端面が上記隣接する架台の洗濯機載置面の対向端面に面一状に接合する枠板部を内方に向かって一体に突設してなる幕板を着脱自在に介在させるように構成しているので、隣接する架台の対向間の空間部をこの幕板によって隙間なく確実に閉止しておくことができ、従って、塵埃等の侵入を防止することができるのは勿論、両側の架台における垂下外壁部と共に意匠的にも優れた外観を形成することができる。
【００１４】
さらに、上記幕板の上端に形成している直条突条部の内面側の下端から両端面が上記隣接する架台の洗濯機載置面の対向端面に面一状に接合する枠板部を内方に向かって突設しているので、この枠板部の下方側に防水パン本体の洗濯機載置板に設けている排水口を配置させることによって該排水口およびこの排水口に設けるエルボ等をこの枠板部によって体裁よく隠蔽しておくことができる。また、幕板の上端には両端が両側の架台における突条部の対向面に接合する直状の突条部を設けているので、枠板部上に洗濯機側からの溢水等が流下しても、両側の架台の突条部と共に防水パン本体の外側に流出するのをこの直状突条部によって確実に阻止し、枠板部上から防水パン本体の洗濯機載置板上に流下させることができる。
【００１５】
その上、架台上に洗濯機を設置している状態においても、この幕板を隣接する架台間から簡単に取り外すことができ、取り外したあとの広い空間部を通じて防水パン本体の洗濯機載置板上の清掃や排水口の点検等が容易に行うことができる。
【発明を実施するための最良の形態】
【００１６】
次に、本発明の具体的な実施の形態を図面について説明すると、図１〜図３において、防水パン本体１は、ＦＲＰやＡＢＳ樹脂などの硬質合成樹脂製成形体であって、洗濯機Ａの横断面積よりも一回り大きい一定厚みを有する平面矩形状の洗濯機載置板２の四方周縁に上方に向かって一定高さの周壁３を突設していると共に上記洗濯機載置板２の前部中央に上下面間に亘って貫通した排水口４を設けてあり、さらに、洗濯機載置板２の四隅部には、ドラムを垂直状に内蔵している縦型洗濯機Ａの外底面四方部に取付けた脚体ａを受止する一定高さの固定台板部５を一体に形成している。
【００１７】
この固定台板部５はその平面形状を円形状に形成しておいてもよいが、図においては四角形状に形成してあり、その四方壁面における外側の互いに直角な壁面部、即ち、周壁３の角部に対向する側の壁面部5a、5aは、周壁３の角部を中央にして互いに直角に連続した周壁部3a、3aに平行に設けられていると共に対向するこれらの周壁部3aの内面と壁面部5aの外面との間には図４、図５に示すように平面Ｌ字状の小幅の凹溝６が形成されている。なお、固定台板部５の高さは周壁３よりも高くしているが、周壁３と略同じ高さであってもよい。
【００１８】
これらの固定台板部５の上面は、上述したよう洗濯機Ａの設置面5cに形成されていると共に該設置面5cは周壁３の角部側と載置板２の中心部側間の対角線上から該対角線と交差する両側方に向かって下方に緩やかに傾斜した傾斜面に形成して、洗濯機からの溢水等が該設置面5c上に流下した時に、その傾斜面を伝って載置板２上に流出させるように構成している。なお、この設置面5cの上面には上記対角線から固定台板部５の両側端に向かって複数の排水用細溝７を形成している。これらの排水用細溝７も上記対角線側から固定台板部５の両側端に開口する開口端に向かって下方に緩傾斜している。
【００１９】
また、各固定台板部５における上記凹溝６に面した外側の互いに直角な壁面部5a、5aに対応した内側の互いに直角な壁面部5b、5bの外周面下部には、上記凹溝６の溝底と同一高さでもって突出した一定幅の段部８を形成してあり、この段部８の水平な上端面の両端を凹溝６の溝底面の両端に直角に連続させている。即ち、凹溝６の溝底面と段部８の上端面とは四角形状の固定台板部５の下端周面を一周するように形成されている。そして、固定台板部５の四方周面は、上端から凹溝６の溝底面と段部８に向かって外方に緩やかに傾斜した傾斜面に形成されている。
【００２０】
10は上記防水パン本体１の洗濯機載置板２の四隅部上に設けられている各固定台板部５上にそれぞれ重ね合わせるように被せることにより、その上面でドラムを斜めに又は水平状に内蔵している傾斜型洗濯機A'や横型洗濯機を支持するように構成した４個の架台で、その平面形状を固定台板部５と相似形の四角形状に形成していると共に、図５、図６に示すように、載置板への設置状態における四方周壁面の高さを上記防水パン本体１の周壁３の高さよりも高くしている。この架台10は、四角形状の上面を上記横型洗濯機や傾斜型洗濯機A'の載置面10a に形成してあり、さらに、この載置面10a の四方端縁から下方に垂設している周壁面10b を一定厚みの壁体によって形成して下端が全面的に開口した中空台形状に形成していると共に周壁面10b の内周面下部を上記固定台板部５の外周面に被嵌可能な形状に形成してこの架台10の下端開口部を固定台板部５に取り外し可能に外嵌させ、周壁面10b の下端面を固定台板部５の周囲の上記凹溝６の溝底面と段部８の上端面とに当接、受止させるように構成している。
【００２１】
さらに、図５に示すように、架台10の四方周壁面10b における上記防水パン本体１の周壁３の角部側に面した互いに直角な外側壁面部10b1、10b1の上端縁に平面Ｌ字状の一定高さの突条部11を一体に設けている。詳しくは、洗濯機載置面10a における上記互いに直角な外側端縁から上方に向かって上記一定高さの突条部11の内壁部11a を突設すると共にこの内壁部11a の上端から外方に向かって一定幅を有する突条部11の水平な天壁部11c を形成し、さらに、この天壁部11c の互いに直角な外側端縁から下方に向かって下端が上記防水パン本体１の周壁３における角部を中央にして互いに直角に連続した両側周壁部3a、3aの上端面に接する垂下外壁部12を形成してなるものである。なお、この直角に屈折した状態に形成されている垂下外壁部12の上端部によって上記突条部11の外壁部11b を形成している。
【００２２】
また、この架台10における洗濯機載置面10a も上記防水パン本体１の四隅部に一体に設けている固定台板部５の洗濯機設置面5cと同様に、直角に屈折している突条部11の角部を通る対角線から突条部11が設けられていない内側の両側端縁に向かって緩やかに下方に傾斜させていると共に、この突条部11が設けられていない互いに直角に連設している洗濯機載置面10a の内端部分に、後述する幕板20に突設している突片23を係合させる係止凹部13を設けている。
【００２３】
幕板20は、防水パン本体１の四隅部上に上記架台10を配設した際に、隣接する架台10、10の対向面間の空間部を塞ぐように配設されるもので、高さが架台10の上記垂下外壁部12の高さに等しく横幅が隣接する架台10、10の対向面間の幅に等しい横長長方形状に形成されてあり、その下端面を架台10、10間における防水パン本体１の周壁部3bの上端面に当接、支持させ、両端面を隣接する架台10、10の相対する垂下外壁部12の対向端面に接合させてその外面を垂下外壁部12の外面と面一状に連続させるように形成している。
【００２４】
この幕板20の上端部は全長に亘って上記架台10に設けている突条部11と同大、同形の直状突条部21に形成されている。詳しくは、上記架台10の垂下外壁部12の上端部と同様にこの幕板20の上端部を直状突条部21の外壁部21b として該外壁部21b の上端から内方に向かって上記架台10の突条部11の天壁部11c と同一幅の水平な天壁部21c を形成し、さらに、この天壁部21c の内端から下方に向かって架台10の突条部11の内壁部11a と同一高さの内壁部21a を形成している。
【００２５】
さらに、この直状突条部21の内壁壁21a の下端から内方に向かって、両端面が上記隣接する架台10、10の洗濯機載置面10a の対向端面に面一状に接合する枠板部22を一体に設けている。この枠板部22の内外端面間の幅は上記架台10の洗濯機載置面10a と同一幅に形成されていると共にその両端面の内端部分に、架台10の洗濯機載置面10a の内端部分に設けている上記係止凹部13に係合、支持させる突片23を突設している。この突片23を図示していないがゴム製のキャップで被覆するか、或いは、係止凹部13との間にパッキンを介在させて防振機能を奏するように構成しておくことが望ましい。なお、幕板20の外面における長さ方向の中央部下端には、隣接する架台10、10間への取付け、取り外し作業が容易に行えるように手掛け用の凹部24が設けられている。
【００２６】
以上のように洗濯機用防水パンは、防水パン本体１と４個の架台10とによって構成されてあり、使用時には防水パン本体１を、その洗濯機載置板２の前部中央に設けている排水口４を手前側にして洗面所や脱衣所等における洗濯機の設置場所に敷設状態に固定し、その洗濯機載置板２上に洗濯機を設置する。この際、洗濯物投入口Ｂが垂直上方に向いている縦型ドラム式の洗濯機Ａを設置する場合には、図７に示すように、架台10を使用することなく、防水パン本体１の洗濯機載置板２における四隅部に突設している高さの低い固定台板部５の設置面5c上に該洗濯機Ａをその外底面に装着した脚体ａを介して設置する。
【００２７】
そして、洗濯機Ａの排水ホースＣを図２に示すように、排水口４に配設しているエルボＤ等に接続し、床下側に設けているトラップから排水管を通じて排水させるようにする。このように、縦型洗濯機Ａの場合には、防水パン本体１の洗濯機載置板２の四隅部に設けている固定台板部５上に直接設置すれば、その洗濯物投入口Ｂを洗濯物の出し入れが楽な姿勢で行える高さ位置にすることができる。
【００２８】
一方、洗濯物の投入口B'が上記縦型洗濯機Ａよりも低い位置に設けられている横型洗濯機や傾斜型洗濯機A'（以下、傾斜型洗濯機A'として説明する）を上記防水パン本体１上に設置する場合には、まず、載置板載置板２の四隅部に設けている上記固定台板部５にそれぞれ架台10を被せる。
【００２９】
この際、架台10の洗濯機載置面10a の垂下外壁部12を防水パン本体１の洗濯機載置板２の隅角部側に向けた状態にして固定台板部５にその下端開口部を被嵌させると、図５に示すように、架台10の周壁面10b の下端面が固定台板部５の周囲の上記凹溝５の溝底面と段部６の上端面とに当接、受止されてその洗濯機載置面10a を固定台板部５の洗濯機設置面5cから一定の高さだけ上方に位置した所定の高さ位置に固定すると共に周方向にＬ字状に屈折している上記垂下外壁部12の下端面を防水パン本体１の周壁３の角部とこの角部を挟んだ周壁部3a、3a上に当接、受止させる。
【００３０】
このように、防水パン本体１の洗濯機載置板２における四隅部上に設けている固定台板部５にそれぞれ架台10を被せた状態に配設したのち、図８に示すように、傾斜型洗濯機A'を架台10の洗濯機載置面10a 上にその外底面に装着している脚体a'を介して設置する。そうすると、この傾斜型洗濯機A'の洗濯物の投入口B'が上記縦型洗濯機Ａの洗濯物投入口Ｂと略同一高さ位置に設けられた状態となり、安定した自然な姿勢で洗濯物の出し入れが可能となる。この傾斜型洗濯機A'の排水ホースは、上記縦型洗濯機Ａの場合と同様に、排水口４に配設しているエルボＤ等を介して床下側に設けているトラップに連通させた状態にして使用する。
【００３１】
また、隣接する架台10、10の対向面間に上記幕板20を取付けてこれらの架台10、10間の空間部を該幕板20によって塞ぎ、外部に対して防水パン本体１の洗濯機載置板２を隠蔽して体裁のよい外観を形成する。この場合、手前側の架台10、10間には幕板20を配設するが、外部から見え難い背面側には必ずしも設ける必要はなく、また、側方においては、洗濯機の側面に近接した状態で壁等が存在していない場合には、図３に示すように幕板20を設けておけばよい。
【００３２】
隣接する架台10、10間への幕板20の取付作業は、傾斜型洗濯機A'の設置後、或いは設置前のいずれであってもよい。その取付けは、幕板20を隣接する架台10、10間に介挿してその下端面を防水パン本体１の周壁３の長さ方向の中央部上端面に当接、受止させると共に幕板20の上端突条部21の内壁部下端から内方に向かって突設している枠板部22を隣接する架台10、10間に上方から落とし込むようにしてこの枠板部22の両端面における内端部分に突設した突片23、23を架台10、10の洗濯機載置面10a の内端部分に設けている係止凹部13、13にそれぞれ係合、支持させる。
【００３３】
そうすると、幕板20における上記枠板部22の両端面が架台10、10の対向面の上端部に接合してこの枠板部22の上面が架台10の洗濯機載置面10a の上面と面一状に連続すると共に幕板20の上端部に設けている直状突条部21の両端面が隣接する架台10、10の突条部11、11の対向端面に接合し、一連に連続した状態となる。そして、手前側に設けられた幕板20の枠板部22の下方に排水口４が位置して該排水口４がこの枠板部22に覆い隠されると共に幕板20と架台10の周壁面10b によって防水パン本体１の洗濯機載置板２が隠蔽され、体裁のよい外観を呈する洗濯機設置形態を構成することができる。
【００３４】
また、防水パン本体１上から傾斜型洗濯機A'を撤去することなく、幕板20を上方に僅かに持ち上げるだけで、その枠板部22の両端面に突設している突片23、23が隣接する架台10、10の載置面10a の端縁部に設けている係止凹部13から離脱して幕板20を簡単に取り外すことができ、防水パン本体１に設けている排水口４等の点検や掃除が容易に行うことができる。
【図面の簡単な説明】
【００３５】
【図１】防水パンの分解斜視図。
【図２】防水パン本体の斜視図。
【図３】架台や幕板を取付けてなる防水パンの斜視図。
【図４】一部の拡大分解斜視図。
【図５】固定台板部に架台を取付けた状態の縦断側面図。
【図６】幕板の取付け状態を示す縦断側面図。
【図７】縦型洗濯機を設置している状態の斜視図。
【図８】傾斜型洗濯機を設置している状態の斜視図。
【符号の説明】
【００３６】
１  防水パン本体
２  洗濯機載置板
３  周壁
４  排水口
５  固定台板部
10  架台
11  突条部
12  垂下外壁部
20  幕板
21  直状突条部
22  枠板部
【図１】
0004634237.tif 000002
【図２】
0004634237.tif 000003
【図３】
0004634237.tif 000004
【図４】
0004634237.tif 000005
【図５】
0004634237.tif 000006
【図６】
0004634237.tif 000007
【図７】
0004634237.tif 000008
【図８】
0004634237.tif 000009